(57)【要約】【課題】観賞用に画像を表示する際に、より確実に雰囲気を高めることができ、ユーザの利便性を向上することができる技術を提供する。【解決手段】本発明の表示装置は、画面の周りを囲む装飾用の額縁を着脱可能に構成されている表示装置であって、表示装置に装飾用の額縁が装着されていることを検出する検出手段と、所定の額縁画像を記憶する記憶手段と、入力された表示対象の画像である対象画像から、画面に表示するための表示用画像を生成する生成手段と、を有し、生成手段は、検出手段で表示装置に装飾用の額縁が装着されていることが検出されている場合に、対象画像に額縁画像を付加せずに表示用画像を生成し、検出手段で表示装置に装飾用の額縁が装着されていることが検出されていない場合に、対象画像に所定の額縁画像を付加して表示用画像を生成する。【選択図】図１
2013238650.tif 000002
【特許請求の範囲】
【請求項１】
画面の周りを囲む装飾用の額縁を着脱可能に構成されている表示装置であって、
前記表示装置に装飾用の額縁が装着されていることを検出する検出手段と、
所定の額縁画像を記憶する記憶手段と、
入力された表示対象の画像である対象画像から、前記画面に表示するための表示用画像を生成する生成手段と、
を有し、
前記生成手段は、
前記検出手段で前記表示装置に装飾用の額縁が装着されていることが検出されている場合に、前記対象画像に額縁画像を付加せずに表示用画像を生成し、
前記検出手段で前記表示装置に装飾用の額縁が装着されていることが検出されていない場合に、前記対象画像に前記所定の額縁画像を付加して表示用画像を生成する
ことを特徴とする表示装置。
【請求項２】
前記検出手段は、前記表示装置に装飾用の額縁が装着されていることを検出するセンサである
ことを特徴とする請求項１に記載の表示装置。
【請求項３】
前記対象画像とともに額縁画像が入力されたか否かを判定する入力判定手段をさらに有し、
前記生成手段は、前記検出手段で前記表示装置に装飾用の額縁が装着されていることが検出されておらず、且つ、前記入力判定手段で前記対象画像とともに額縁画像が入力されたと判定された場合に、前記対象画像に、前記対象画像とともに入力された額縁画像を、前記所定の額縁画像の代わりに付加する
ことを特徴とする請求項１または２に記載の表示装置。
【請求項４】
前記対象画像が額縁画像が付加された額付き画像であるか否かを判定する画像判定手段をさらに有し、
前記生成手段は、
前記検出手段で前記表示装置に装飾用の額縁が装着されていることが検出されており、且つ、前記画像判定手段で前記対象画像が額付き画像であると判定された場合に、前記対象画像から額縁画像部分を削除して表示用画像を生成し、
前記検出手段で前記表示装置に装飾用の額縁が装着されていることが検出されておらず、且つ、前記画像判定手段で前記対象画像が額付き画像であると判定された場合に、前記対象画像に額縁画像を付加せずに表示用画像を生成する
ことを特徴とする請求項１〜３のいずれか１項に記載の表示装置。
【請求項５】
前記表示装置は、前記対象画像とともに入力された額縁画像を優先して付加する表示モードを含む複数の表示モードを有しており、
前記表示装置は、前記対象画像とともに額縁画像が入力されたか否かを判定する入力判定手段を有し、
前記生成手段は、前記検出手段で前記表示装置に装飾用の額縁が装着されていることが検出されておらず、前記画像判定手段で前記対象画像が額付き画像であると判定され、前記入力判定手段で前記対象画像とともに額縁画像が入力されたと判定され、且つ、前記対象画像とともに入力された額縁画像を優先して付加する表示モードが設定されている場合に、前記対象画像から額縁画像部分を削除し、前記額縁画像部分が削除された画像に、前記対象画像とともに入力された額縁画像を付加して表示用画像を生成する
ことを特徴とする請求項４に記載の表示装置。
【請求項６】
前記表示装置は、前記所定の額縁画像を優先して付加する表示モードを含む複数の表示モードを有しており、
前記生成手段は、前記検出手段で前記表示装置に装飾用の額縁が装着されていることが検出されておらず、前記画像判定手段で前記対象画像が額付き画像であると判定され、且つ、前記所定の額縁画像を優先して付加する表示モードが設定されている場合に、前記対象画像から額縁画像部分を削除し、前記額縁画像部分が削除された画像に前記所定の額縁画像を付加して表示用画像を生成する
ことを特徴とする請求項４または５に記載の表示装置。
【請求項７】
前記表示装置は、額縁画像を付加しない表示モードを含む複数の表示モードを有しており、
前記生成手段は、額縁画像を付加しない表示モードが設定されている場合に、前記対象画像に額縁画像を付加せずに表示用画像を生成する
ことを特徴とする請求項１〜６のいずれか１項に記載の表示装置。
【請求項８】
画面の周りを囲む装飾用の額縁を着脱可能に構成されている表示装置の制御方法であって、
前記表示装置に装飾用の額縁が装着されていることを検出する検出ステップと、
入力された表示対象の画像である対象画像から、前記画面に表示するための表示用画像を生成する生成ステップと、
を有し、
前記生成ステップでは、
前記検出ステップで前記表示装置に装飾用の額縁が装着されていることが検出されている場合に、前記対象画像に額縁画像を付加せずに表示用画像を生成し、
前記検出ステップで前記表示装置に装飾用の額縁が装着されていることが検出されていない場合に、前記対象画像に、記憶手段に記憶されている所定の額縁画像を付加して表示用画像を生成する
ことを特徴とする表示装置の制御方法。
【請求項９】
前記検出ステップでは、センサを用いて、前記表示装置に装飾用の額縁が装着されていることを検出する
ことを特徴とする請求項８に記載の表示装置の制御方法。
【請求項１０】
前記対象画像とともに額縁画像が入力されたか否かを判定する入力判定ステップをさらに有し、
前記生成ステップでは、前記検出ステップで前記表示装置に装飾用の額縁が装着されていることが検出されておらず、且つ、前記入力判定ステップで前記対象画像とともに額縁画像が入力されたと判定された場合に、前記対象画像に、前記対象画像とともに入力された額縁画像を、前記所定の額縁画像の代わりに付加する
ことを特徴とする請求項８または９に記載の表示装置の制御方法。
【請求項１１】
前記対象画像が額縁画像が付加された額付き画像であるか否かを判定する画像判定ステップをさらに有し、
前記生成ステップでは、
前記検出ステップで前記表示装置に装飾用の額縁が装着されていることが検出されており、且つ、前記画像判定ステップで前記対象画像が額付き画像であると判定された場合に、前記対象画像から額縁画像部分を削除して表示用画像を生成し、
前記検出ステップで前記表示装置に装飾用の額縁が装着されていることが検出されておらず、且つ、前記画像判定ステップで前記対象画像が額付き画像であると判定された場合に、前記対象画像に額縁画像を付加せずに表示用画像を生成する
ことを特徴とする請求項８〜１０のいずれか１項に記載の表示装置の制御方法。
【請求項１２】
前記表示装置は、前記対象画像とともに入力された額縁画像を優先して付加する表示モードを含む複数の表示モードを有しており、
前記表示装置の制御方法は、前記対象画像とともに額縁画像が入力されたか否かを判定する入力判定ステップを有し、
前記生成ステップでは、前記検出ステップで前記表示装置に装飾用の額縁が装着されていることが検出されておらず、前記画像判定ステップで前記対象画像が額付き画像であると判定され、前記入力判定ステップで前記対象画像とともに額縁画像が入力されたと判定され、且つ、前記対象画像とともに入力された額縁画像を優先して付加する表示モードが設定されている場合に、前記対象画像から額縁画像部分を削除し、前記額縁画像部分が削除された画像に、前記対象画像とともに入力された額縁画像を付加して表示用画像を生成する
ことを特徴とする請求項１１に記載の表示装置の制御方法。
【請求項１３】
前記表示装置は、前記所定の額縁画像を優先して付加する表示モードを含む複数の表示モードを有しており、
前記生成ステップでは、前記検出ステップで前記表示装置に装飾用の額縁が装着されていることが検出されておらず、前記画像判定ステップで前記対象画像が額付き画像であると判定され、且つ、前記所定の額縁画像を優先して付加する表示モードが設定されている場合に、前記対象画像から額縁画像部分を削除し、前記額縁画像部分が削除された画像に前記所定の額縁画像を付加して表示用画像を生成する
ことを特徴とする請求項１１または１２に記載の表示装置の制御方法。
【請求項１４】
前記表示装置は、額縁画像を付加しない表示モードを含む複数の表示モードを有しており、
前記生成ステップでは、額縁画像を付加しない表示モードが設定されている場合に、前記対象画像に額縁画像を付加せずに表示用画像を生成する
ことを特徴とする請求項８〜１３のいずれか１項に記載の表示装置の制御方法。
【発明の詳細な説明】
【技術分野】
【０００１】
本発明は、表示装置及びその制御方法に関する。
【背景技術】
【０００２】
従来、スキャナ等を用いて絵画からデジタル画像（絵画画像）を生成し、絵画画像をモニタ（表示装置）に表示して鑑賞することがある。また、近年のモニタの薄型化にともない、壁にかけて絵画画像を表示し、あたかも実物の絵画のように室内装飾物として利用することを想定した絵画画像表示用のモニタが販売されている。額縁は、絵画を鑑賞する際の雰囲気を高めるための重要な役割を持っている。そのため、絵画画像表示用のモニタは、絵画を入れて飾る額縁を模したフレーム（画面の周りを囲む装飾用の額縁）を着脱可能に構成されていることが多い。
また、雰囲気を高めるための他の方法として、絵画画像に額縁を表す額縁画像を付加して表示する方法がある（特許文献１）。
【０００３】
上述したように、モニタで絵画画像を鑑賞する方法として、額縁を装着する第１の方法と、絵画画像に額縁画像を付加して表示する第２の方法とがある。しかしながら、第１の方法では、額縁が装着されているにときにしか、雰囲気を高めることができない。また、第２の方法では、額縁が装着されているときに、複数の額縁（例えば、装飾用の額縁、及び、付加された額縁画像）が存在してしまう。このような複数の額縁の存在は、雰囲気の低下を招く。
【先行技術文献】
【特許文献】
【０００４】
【特許文献１】特開平１０−２６０６５４号公報
【発明の概要】
【発明が解決しようとする課題】
【０００５】
本発明は、観賞用に画像を表示する際に、より確実に雰囲気を高めることができ、ユーザの利便性を向上することができる技術を提供することを目的とする。
【課題を解決するための手段】
【０００６】
本発明の表示装置は、
画面の周りを囲む装飾用の額縁を着脱可能に構成されている表示装置であって、
前記表示装置に装飾用の額縁が装着されていることを検出する検出手段と、
所定の額縁画像を記憶する記憶手段と、
入力された表示対象の画像である対象画像から、前記画面に表示するための表示用画像を生成する生成手段と、
を有し、
前記生成手段は、
前記検出手段で前記表示装置に装飾用の額縁が装着されていることが検出されている場合に、前記対象画像に額縁画像を付加せずに表示用画像を生成し、
前記検出手段で前記表示装置に装飾用の額縁が装着されていることが検出されていない場合に、前記対象画像に前記所定の額縁画像を付加して表示用画像を生成する
ことを特徴とする。
【０００７】
本発明の表示装置の制御方法は、
画面の周りを囲む装飾用の額縁を着脱可能に構成されている表示装置の制御方法であっ
て、
前記表示装置に装飾用の額縁が装着されていることを検出する検出ステップと、
入力された表示対象の画像である対象画像から、前記画面に表示するための表示用画像を生成する生成ステップと、
を有し、
前記生成ステップでは、
前記検出ステップで前記表示装置に装飾用の額縁が装着されていることが検出されている場合に、前記対象画像に額縁画像を付加せずに表示用画像を生成し、
前記検出ステップで前記表示装置に装飾用の額縁が装着されていることが検出されていない場合に、前記対象画像に、記憶手段に記憶されている所定の額縁画像を付加して表示用画像を生成する
ことを特徴とする。
【発明の効果】
【０００８】
本発明によれば、観賞用に画像を表示する際に、より確実に雰囲気を高めることができ、ユーザの利便性を向上することができる。
【図面の簡単な説明】
【０００９】
【図１】実施例１に係る表示装置の機能構成の一例を示すブロック図
【図２】画像ファイルの構造の一例を示す図
【図３】額縁画像データ記憶・送信部の機能構成の一例を示すブロック図
【図４】表示装置に装飾用の額縁が装着されていることの検出方法の一例を示す図
【図５】表示用画像データ生成部の機能構成の一例を示すブロック図
【図６】実施例１の合成制御部の処理フローの一例を示すフロー図
【図７】実施例２に係る表示装置の機能構成の一例を示すブロック図
【図８】額付き画像の一例を示す図
【図９】実施例２の合成制御部の処理フローの一例を示すフロー図
【図１０】表示モード選択画面の一例を示す図
【発明を実施するための形態】
【００１０】
＜実施例１＞
以下、本発明の実施例１に係る表示装置及びその制御方法について説明する。
図１は、本実施例に係る表示装置の機能構成の一例を示すブロック図である。本実施例に係る表示装置は、画面の周りを囲む装飾用の額縁を着脱可能に構成されている。
【００１１】
画像ファイル読み込み部１０１は、表示対象の画像（対象画像）を含む画像ファイルを読み込み、画像ファイル解析部１０２へ送信する。画像ファイルの読み込み方法としては、ＳＤカード等の外部メディアから画像ファイルを読み込む方法や、Ｅｔｈｅｒｎｅｔ（登録商標）等のネットワークを経由して、接続されたコンピュータから画像ファイルを受信する方法等がある。対象画像は、例えば、写真や絵画などの画像である。
【００１２】
画像ファイル解析部１０２は、対象画像とともに額縁画像が入力されたか否かを判定する（入力判定）。
以下、画像ファイル解析部１０２の処理の具体例について説明する。
図２は、画像ファイルの構造の一例を示す図である。図２に示すように、画像ファイルはファイルヘッダと画像データから構成される。ファイルヘッダには対象画像データサイズおよび額縁画像データサイズが含まれている。画像データの先頭から対象画像データサイズ分のデータが対象画像データ（対象画像）であり、画像データの終端から額縁画像データサイズ分のデータが額縁画像データ（額縁画像）である。ファイルヘッダを参照することにより、画像ファイル（画像データ）から対象画像と額縁画像を個別に読み出すこと
ができる。
画像ファイル解析部１０２は、画像ファイル読み込み部１０１より受信した画像ファイルのファイルヘッダを解析する。そして、画像ファイル解析部１０２は、画像データ内における対象画像データの先頭アドレスと、対象画像データのデータサイズとを対象画像データ抽出部１０３へ送信する。また、画像ファイル解析部１０２は、画像データ内における額縁画像データの先頭アドレスと、額縁画像データのデータサイズとを額縁画像データ抽出部１０４へ送信する。また、画像ファイル解析部１０２は、対象画像とともに額縁画像が入力されたか否か（画像ファイル（画像データ）に額縁画像データが含まれているか否か）を示す情報を表示用画像データ生成部１０７へ送信する。
なお、ファイルヘッダには、図２に示す情報に加え、絵画名や作者名等の情報が含まれていてもよい。
【００１３】
対象画像データ抽出部１０３は、画像ファイル解析部１０２から対象画像データの先頭アドレスとデータサイズを取得し、画像ファイルから対象画像データを抽出する。対象画像データは、非圧縮データ（ラスタデータなど）または圧縮データ（ＪＰＥＧ（Ｊｏｉｎｔ  Ｐｈｏｔｏｇｒａｐｈｉｃ  Ｅｘｐｅｒｔ  Ｇｒｏｕｐ）等の圧縮方式で圧縮されたデータ）である。対象画像データが圧縮データである場合には、対象画像データ抽出部１０３は、対象画像データを非圧縮データにフォーマット変換する。
【００１４】
額縁画像データ抽出部１０４は、画像ファイル解析部１０２から額縁画像データの先頭アドレスとデータサイズを取得し、画像ファイルから額縁画像データを抽出する。額縁画像データは、対象画像データと同様に、非圧縮データまたは圧縮データである。額縁画像データが圧縮データである場合には、額縁画像データ抽出部１０４は、額縁画像データを非圧縮データにフォーマット変換する。
【００１５】
額縁画像データ記憶・送信部１０５は、所定の額縁画像（所定の額縁画像データ）を記憶しており、記憶している額縁画像を表示用画像データ生成部１０７に出力する。本実施例では、所定の額縁画像データは、表示装置に装飾用の額縁が装着されておらず、且つ、対象画像データとともに額縁画像データが入力されなかった場合に利用される。即ち、所定の額縁画像データは、表示装置に装飾用の額縁が装着されておらず、且つ、画像ファイル読み込み部１０１で読み込まれた画像ファイルに額縁画像データが含まれていなかった場合に利用される。額縁画像データ記憶・送信部１０５の詳細については後述する。
【００１６】
装着検出部１０６は、表示装置に装飾用の額縁が装着されていることを検出する。装着検出部１０６としては、表示装置に装飾用の額縁が装着されていることを検出するセンサ（機械的なセンサ、電気的なセンサ、光学的なセンサなど）を用いることができる。例えば、図４に示すように、装飾用の額縁に凸部を設け、表示装置に当該凸部が嵌め込まれる凹部を設ければよい。そして、表示装置（凹部内）に、表示装置の凹部に額縁の凸部が嵌め込まれた際に押下されるスイッチを設ければよい。そのような構成の場合には、装着検出部１０６は、スイッチが押下されているときに、表示装置に装飾用の額縁が装着されていると判断し、スイッチが押下されていないときに、表示装置に装飾用の額縁が装着されていないと判断する。装着検出部１０６は、検出結果（表示装置に装飾用の額縁が装着されているか否かを示す情報）を表示用画像データ生成部１０７へ通知する。
【００１７】
表示用画像データ生成部１０７は、対象画像データから、画面に表示するための表示用画像データを生成する。表示用画像データ生成部１０７の詳細については後述する。
【００１８】
表示部１０８は、表示用画像データ生成部１０７により生成された表示用画像データを表示する。
【００１９】
額縁画像データ記憶・送信部１０５の詳細について説明する。図３は、額縁画像データ記憶・送信部１０５の機能構成の一例を示すブロック図である。
額縁画像データ記憶部３０１は、不揮発性メモリや磁気ディスクなどの記録媒体であり、所定の額縁画像（所定の額縁画像データ）を記憶する。額縁画像データ記憶部３０１は、額縁画像データ送信部３０３からの要求に応じて所定の額縁画像データを出力する。なお、額縁画像データ記憶部３０１には、１つ額縁画像データが記憶されていてもよいし、複数の額縁画像データが記憶されていてもよい。額縁画像データ記憶部３０１に記憶される額縁画像データは、ユーザ操作により追加・更新可能であってもよい。
額縁画像データ選択部３０２は、額縁画像データ記憶・送信部１０５（具体的には、額縁画像データ送信部３０３）から出力する額縁画像データを選択する。具体的には、額縁画像データ選択部３０２は、額縁画像データ記憶部３０１に記憶されている額縁画像データのうち、額縁画像データ送信部３０３から出力する額縁画像データを示す識別子（ＩＤや名称など）を額縁画像データ送信部３０３に出力する。額縁画像データ選択部３０２が出力する識別子は、例えば、ユーザ操作に応じて変更される。識別子のデフォルト値は、メーカやユーザにより予め設定されていてもよい。また、識別子のデフォルト値は、額縁画像データの使用履歴に基づいて決定されてもよい。例えば、直前に使用された額縁画像データを示す識別子がデフォルト値とされてもよい。現在までに最も多く使用された額縁画像データを示す識別子がデフォルト値とされてもよい。現在から所定時間前までの期間に最も多く使用された額縁画像データを示す識別子がデフォルト値とされてもよい。また、観賞対象の画像の種類や表示装置の設置環境等に応じてデフォルト値が決定されてもよい。
額縁画像データ送信部３０３は、表示用画像データ生成部１０７からの指示（要求）に応じて、額縁画像データ記憶部３０１から額縁画像データを取得し、取得した額縁画像データを表示用画像データ生成部１０７に出力する。具体的には、額縁画像データ選択部３０２から出力された識別子に対応する額縁画像データが、額縁画像データ記憶部３０１から取得される。
【００２０】
表示用画像データ生成部１０７の詳細について説明する。図５は、表示用画像データ生成部１０７の機能構成の一例を示すブロック図である。
対象画像データ取得部５０１は、対象画像データ抽出部１０３から対象画像データを取得する。
額縁画像データ取得部５０２は、合成制御部５０４からの指示に応じて、額縁画像データ抽出部１０４または額縁画像データ記憶・送信部１０５から額縁画像データを取得する。
画像データ合成部５０３は、合成制御部５０４からの指示に応じて、表示用画像データを生成する。生成された表示用画像データは、表示部１０８へ出力され、画面に表示される。
合成制御部５０４は、表示用画像データの生成を制御する。
【００２１】
図６は、本実施例の合成制御部５０４の処理フローの一例を示すフロー図である。
表示対象の画像ファイルが選択されると、合成制御部５０４は、対象画像データ取得部５０１に、対象画像データ抽出部１０３からの対象画像データの取得を指示する（Ｓ６０１）。
次に、合成制御部５０４は、装着検出部１０６から、装飾用の額縁が装着されているか否かを示す検出結果を取得する。そして、合成制御部５０４は、取得した検出結果から、装飾用の額縁が装着されているか否かを判断する（Ｓ６０２）。装飾用の額縁が装着されている場合には、Ｓ６０３に処理が進められる。装飾用の額縁が装着されていない場合には、Ｓ６０４に処理が進められる。
【００２２】
Ｓ６０３では、合成制御部５０４が、対象画像データを表示用画像データとして設定す
ることを、画像データ合成部５０３に指示する。
そして、Ｓ６０９に処理が進められる。
即ち、本実施例では、表示装置に装飾用の額縁が装着されていることが検出されている場合に、対象画像に額縁画像を付加せずに表示用画像が生成される。
なお、対象画像に、額縁画像の付加以外の画像処理が施されてもよい。
【００２３】
Ｓ６０４では、合成制御部５０４が、画像ファイル解析部１０２から、画像ファイルに額縁画像データが含まれているか否かを示す情報を取得する。そして、合成制御部５０４は、取得した情報から、画像ファイルに額縁画像データが含まれているか否か（即ち、対象画像とともに額縁画像が入力されたか否か）を判断する。画像ファイルに額縁画像データが含まれている場合（即ち、対象画像とともに額縁画像が入力された場合）には、Ｓ６０５に処理が進められる。画像ファイルに額縁画像データが含まれていない場合（即ち、対象画像とともに額縁画像が入力されなかった場合）には、Ｓ６０６に処理が進められる。
Ｓ６０５では、合成制御部５０４が、額縁画像データ取得部５０２に、額縁画像データ抽出部１０４からの額縁画像データ（入力された額縁画像データ）の取得を指示する。
Ｓ６０６では、合成制御部５０４が、額縁画像データ取得部５０２に、額縁画像データ記憶・送信部１０５からの額縁画像データ（所定の額縁画像データ）の取得を指示する。
【００２４】
Ｓ６０５またはＳ６０６の次に、合成制御部５０４が、対象画像データに額縁画像データを合成することを、画像データ合成部５０３に指示する（Ｓ６０７）。その結果、画像データ合成部５０３において、Ｓ６０１で取得された対象画像データに、Ｓ６０５またはＳ６０６で取得された額縁画像データが合成される。
そして、合成制御部５０４は、Ｓ６０７で得られた画像データ（対象画像データに額縁画像データが合成された画像データ；合成画像データ）を表示用画像データとして設定することを、画像データ合成部５０３に指示する（Ｓ６０８）。
そして、Ｓ６０９に処理が進められる。
即ち、本実施例では、表示装置に装飾用の額縁が装着されていることが検出されていない場合に、対象画像に当該対象画像を囲む額縁画像を付加することにより、表示用画像が生成される。具体的には、表示装置に装飾用の額縁が装着されていることが検出されておらず、且つ、対象画像とともに額縁画像が入力されなかったと判定された場合に、対象画像に所定の額縁画像が付加される。表示装置に装飾用の額縁が装着されていることが検出されておらず、且つ、対象画像とともに額縁画像が入力されたと判定された場合には、対象画像に、対象画像とともに入力された額縁画像が、所定の額縁画像の代わりに付加される。
なお、対象画像、額縁画像、または、その両方に、額縁画像の付加以外の画像処理が施されてもよい。
【００２５】
Ｓ６０９では、合成制御部５０４が、画像データ合成部５０３に、表示部１０８への表示用画像データの出力を指示する。それにより、Ｓ６０３またはＳ６０８で得られた表示用画像データが画像データ合成部５０３から表示部１０８に出力され、表示用画像データが表示部１０８で表示される。
【００２６】
以上述べたように、本実施例によれば、表示装置に装飾用の額縁が装着されていることが検出されている場合に、対象画像に額縁画像を付加せずに表示用画像が生成される。また、表示装置に装飾用の額縁が装着されていることが検出されていない場合には、対象画像に額縁画像を付加して表示用画像が生成される。それにより、常に額縁がある状態で対象画像を表示することができる。さらに、複数の額縁が生じる状況を避けることができる。その結果、観賞用に画像を表示する際に、より確実に雰囲気を高めることができ、ユーザの利便性を向上することができる。
また、本実施例によれば、表示装置に装飾用の額縁が装着されていることが検出されておらず、且つ、対象画像とともに額縁画像が入力されたと判定された場合に、対象画像に、対象画像とともに入力された額縁画像が付加される。対象画像とともに入力される額縁画像は、当該対象画像に適した額縁画像（より雰囲気を高めることのできる額縁画像）である可能性が高い。そのため、そのような額縁画像が入力された場合に、対象画像に当該額縁画像を付加することにより、所定の額縁画像を付加するよりも雰囲気を高めることができる。
【００２７】
なお、本実施例では、表示装置に装飾用の額縁が装着されていることが検出されておらず、且つ、対象画像とともに額縁画像が入力されたと判定された場合に、対象画像に、対象画像とともに入力された額縁画像を付加する構成としたが、この構成に限らない。そのような場合に、対象画像に所定の額縁画像を付加して表示用画像が生成されてもよい。そのような構成であっても、上記効果に順じた効果を得ることができる。そのような構成の場合には、表示装置は、額縁画像データ抽出部１０４や画像ファイル解析部１０２を有していなくてもよい。
【００２８】
＜実施例２＞
以下、本発明の実施例２に係る表示装置及びその制御方法について説明する。
実施例１では、対象画像とは別の画像として額縁画像が入力される場合の例を説明した。しかし、対象画像として、額縁画像が付加された額付き画像が入力されることが考えられる。実施例２では、対象画像として額付き画像が入力された場合にも雰囲気を高めることのできる構成について説明する。
【００２９】
図７は、本実施例に係る表示装置の機能構成の一例を示すブロック図である。本実施例に係る表示装置は、実施例１（図１）の構成の他に、対象画像判定部７０１を更に有する。なお、実施例１と同一の機能部には実施例１（図１）と同一の符号を付し、その詳細な説明は省略する。
【００３０】
対象画像判定部７０１は、対象画像が額付き画像（額付き画像データ）であるか否かを判定する（画像判定）。具体的には、対象画像判定部７０１には、対象画像データ抽出部で抽出された対象画像データが入力される。対象画像判定部７０１は、対象画像データを解析することにより、対象画像データが額付き画像データであるか否かを判定する。対象画像データが額付き画像データであるか否かの判定方法は、どのような方法であってもよい。例えば、パターンマッチング等により対象画像から額縁画像の領域が検出されてもよい。そして、額縁画像の領域が検出された場合に、対象画像データが額付き画像データであると判定されてもよい。対象画像データに当該対象画像データが額付き画像データであるか否かを示すメタデータが付加されている場合には、当該メタデータを参照して、対象画像データが額付き画像データであるか否かが判定されてもよい。
【００３１】
図８は、額付き画像（額付き画像データ）の一例を示す図である。図８において、網掛けされた領域が額縁画像の領域（額縁領域）であり、網掛けされた領域に囲まれた領域が写真や絵画などの画像の領域（観賞対象領域）である。
対象画像判定部７０１は、対象画像データが額付き画像データであると判定した場合に、観賞対象領域または額縁領域を表す領域情報を、表示用画像データ生成部１０７（合成制御部５０４）に通知する。領域情報は、どのような情報であってもよい。例えば、領域情報は、観賞対象領域の始点座標と終点座標（例えば、最も左上（図中の左上画素）の座標と最も右下（図中の右下画素）の座標）であってもよいし、観賞対象領域の位置座標（例えば中心座標）とサイズであってもよい。領域情報は、額縁領域の外周の始点座標と終点座標、及び、額縁領域の内周の始点座標と終点座標であってもよい。領域情報は、額縁領域の外周（または内周）の始点座標と終点座標、及び、額縁領域の幅（内周と外周の間
の長さ）であってもよい。表示用画像データ生成部１０７（画像データ合成部５０３）は、領域情報を参照することにより、対象画像データから額縁画像部分を削除することができる。
【００３２】
図９は、本実施例の合成制御部５０４の処理フローの一例を示すフロー図である。
表示する画像ファイルが選択されると、合成制御部５０４は、対象画像データ取得部５０１に、対象画像データ抽出部１０３からの対象画像データの取得を指示する（Ｓ９０１）。
次に、合成制御部５０４は、装着検出部１０６から、装着用の額縁が装着されているか否かを示す検出結果を取得する。そして、合成制御部５０４は、取得した検出結果から、装飾用の額縁が装着されているか否かを判断する（Ｓ９０２）。装飾用の額縁が装着されている場合には、Ｓ９０３に処理が進められる。装飾用の額縁が装着されていない場合には、Ｓ９０７に処理が進められる。
【００３３】
Ｓ９０３では、合成制御部５０４が、対象画像判定部７０１から領域情報を取得する。そして、合成制御部５０４は、領域情報から、対象画像データが額付き画像データであるか否かを判断する。対象画像データが額付き画像データである場合には、Ｓ９０４に処理が進められる。対象画像データが額付き画像データでない場合には、Ｓ９０６に処理が進められる。
Ｓ９０４では、合成制御部５０４が、対象画像データから額縁画像部分を削除することを、画像データ合成部５０３に指示する。その結果、画像データ合成部５０３において、Ｓ９０１で取得された対象画像データから、額縁画像部分が削除される。
次に、合成制御部５０４は、Ｓ９０４で得られた画像データ（対象画像データから額縁画像部分が削除された画像データ；額縁削除済画像データ）を表示用画像データとして設定することを、画像データ合成部５０３に指示する（Ｓ９０５）。
Ｓ９０６では、合成制御部５０４が、対象画像データを表示用画像データとして設定することを、画像データ合成部５０３に指示する。
Ｓ９０５またはＳ９０６の次に、Ｓ９１３に処理が進められる。
即ち、本実施例では、表示装置に装飾用の額縁が装着されていることが検出されており、且つ、対象画像が額付き画像であると判定された場合に、対象画像から額縁画像部分を削除して表示用画像が生成される。また、表示装置に装飾用の額縁が装着されていることが検出されており、且つ、対象画像が額付き画像でないと判定された場合には、実施例１と同じ処理により表示用画像が生成される。
【００３４】
Ｓ９０７では、合成制御部５０４が、対象画像判定部７０１から領域情報を取得する。そして、合成制御部５０４は、領域情報から、対象画像データが額付き画像データであるか否かを判断する。対象画像データが額付き画像データである場合には、Ｓ９０６に処理が進められる。対象画像データが額付き画像データでない場合には、Ｓ９０８に処理が進められる。
上述したように、Ｓ９０６では、合成制御部５０４が、対象画像データを表示用画像データとして設定することを、画像データ合成部５０３に指示する。
即ち、本実施例では、表示装置に装飾用の額縁が装着されていることが検出されておらず、且つ、対象画像が額付き画像であると判定された場合に、対象画像に額縁画像を付加せずに表示用画像が生成される。
【００３５】
Ｓ９０８では、合成制御部５０４が、画像ファイル解析部１０２から、画像ファイルに額縁画像データが含まれているか否かを示す情報を取得する。そして、合成制御部５０４は、取得した情報から、画像ファイルに額縁画像データが含まれているか否かを判断する。画像ファイルに額縁画像データが含まれている場合には、Ｓ９０９に処理が進められる。画像ファイルに額縁画像データが含まれていない場合には、Ｓ９１０に処理が進められ
る。
Ｓ９０９では、合成制御部５０４が、額縁画像データ取得部５０２に、額縁画像データ抽出部１０４からの額縁画像データ（入力された額縁画像データ）の取得を指示する。
Ｓ９１０では、合成制御部５０４が、額縁画像データ取得部５０２に、額縁画像データ記憶・送信部１０５からの額縁画像データ（所定の額縁画像データ）の取得を指示する。
【００３６】
Ｓ９０９またはＳ９１０の次に、合成制御部５０４が、対象画像データに額縁画像データを合成することを、画像データ合成部５０３に指示する（Ｓ９１１）。その結果、画像データ合成部５０３において、Ｓ９０１で取得された対象画像データに、Ｓ９０９またはＳ９１０で取得された額縁画像データが合成される。
そして、合成制御部５０４は、Ｓ９１１で得られた画像データ（合成画像データ）を表示用画像データとして設定することを、画像データ合成部５０３に指示する（Ｓ９１２）。
そして、Ｓ９１３に処理が進められる。
即ち、本実施例では、表示装置に装飾用の額縁が装着されていることが検出されておらず、且つ、対象画像が額付き画像でないと判定された場合には、実施例１と同じ処理により表示用画像が生成される。
【００３７】
Ｓ９１３では、合成制御部５０４が、画像データ合成部５０３に、表示部１０８への表示用画像データの出力を指示する。それにより、Ｓ９０５、Ｓ９０６、または、Ｓ９１２で得られた表示用画像データが画像データ合成部５０３から表示部１０８に出力され、表示用画像データが表示部１０８で表示される。
【００３８】
以上述べたように、本実施例によれば、表示装置に装飾用の額縁が装着されていることが検出されており、且つ、対象画像が額付き画像であると判定された場合に、対象画像から額縁画像部分を削除して表示用画像が生成される。また、表示装置に装飾用の額縁が装着されていることが検出されておらず、且つ、対象画像が額付き画像であると判定された場合に、対象画像に額縁画像を付加せずに表示用画像が生成される。それにより、対象画像として額付き画像が入力された場合にも、額縁がある状態で観賞対象の画像を表示することができるとともに、複数の額縁が生じる状況を避けることができる。その結果、対象画像として額付き画像が入力された場合にも雰囲気を高めることができ、ユーザの利便性を向上することができる。
【００３９】
＜実施例３＞
以下、本発明の実施例３に係る表示装置及びその制御方法について説明する。本実施例では、表示装置が額縁画像の表示に関する複数の表示モードを有する場合について説明する。なお、実施例１，２と同様の構成等については説明を省略する。
【００４０】
図１０は、ユーザが表示モードを選択するための表示モード選択画面の一例を示す図である。図１０は、表示装置が、「自動」、「画像ファイル優先」、「内蔵額縁優先」、「ＯＦＦ」の４つの表示モードを有する場合の例である。ユーザは、リモコンの上下キー等を用いて表示モードを選択する。表示装置は、選択された表示モードを設定し、設定した表示モードに応じた動作を行う。例えば、選択された表示モードを表す情報が合成制御部５０４に入力され、合成制御部５０４が選択された表示モードに応じた処理を行う。
【００４１】
「自動」が設定されている場合には、表示装置は、実施例１，２で説明した処理と同じ処理を行い、表示用画像を生成する。
【００４２】
「画像ファイル優先」は、対象画像とともに入力された額縁画像を優先して付加する表示モードである。
「画像ファイル優先」が設定されている場合には、画像ファイルに含まれる額縁画像データが優先して利用される。具体的には、表示用画像として額縁画像が付加された画像を生成する際に、対象画像とともに入力された額縁画像が付加された画像が、表示用画像として生成される。即ち、表示装置に装飾用の額縁が装着されていることが検出されておらず、対象画像が額付き画像でないと判定され、対象画像とともに額縁画像が入力されたと判定され、且つ、「画像ファイル優先」が設定されている場合には、対象画像に、対象画像とともに入力された額縁画像を付加して表示用画像が生成される。表示装置に装飾用の額縁が装着されていることが検出されておらず、対象画像が額付き画像であると判定され、対象画像とともに額縁画像が入力されたと判定され、且つ、「画像ファイル優先」が設定されている場合には、対象画像から額縁画像部分を削除し、額縁画像部分が削除された画像に、対象画像とともに入力された額縁画像を付加して表示用画像が生成される。
なお、表示装置に装飾用の額縁が装着されていることが検出されておらず、対象画像とともに額縁画像が入力されていないと判定され、且つ、「画像ファイル優先」が設定されている場合には、実施例１，２と同じ処理により表示用画像が生成される。
【００４３】
「内蔵額縁優先」は、表示装置（額縁画像データ記憶部３０１）に記憶されている所定の額縁画像を優先して付加する表示モードである。
「内蔵額縁優先」が設定されている場合には、表示装置（額縁画像データ記憶部３０１）に記憶されている所定の額縁画像データが優先して利用される。具体的には、表示用画像として額縁画像が付加された画像を生成する際に、所定の額縁画像が付加された画像が、表示用画像として生成される。即ち、表示装置に装飾用の額縁が装着されていることが検出されておらず、対象画像が額付き画像でないと判定され、且つ、「内蔵額縁優先」が設定されている場合に、対象画像に所定の額縁画像を付加して表示用画像が生成される。表示装置に装飾用の額縁が装着されていることが検出されておらず、対象画像が額付き画像であると判定され、且つ、「内蔵額縁優先」が設定されている場合には、対象画像から額縁画像部分を削除し、額縁画像部分が削除された画像に所定の額縁画像を付加して表示用画像が生成される。
【００４４】
なお、「画像ファイル優先」または「内蔵額縁優先」が設定されており、且つ、表示装置に装飾用の額縁が装着されていることが検出されている場合には、表示装置は、実施例１，２と同じ処理を行い、表示用画像を生成する。
【００４５】
「ＯＦＦ」は、額縁画像を付加しない表示モードである。
「ＯＦＦ」が設定されている場合には、対象画像に額縁画像を付加せずに表示用画像が生成される。具体的には、対象画像へ額縁画像を付加する処理、及び、対象画像（額付き画像）から額縁画像を削除する処理を行わずに表示用画像が生成される。その結果、対象画像（または、上記２つの処理以外の画像処理が施された対象画像）が表示用画像とされる。
【００４６】
以上述べたように、本実施例によれば、ユーザによって選択されたモードに応じた方法で表示用画像が生成される。それにより、ユーザの好みに応じた表示（ユーザが所望する表示）を行うことができ、ユーザの利便性を向上することができる。
【００４７】
なお、表示装置に装飾用の額縁が装着されていることが検出されておらず、対象画像が額付き画像であると判定され、対象画像とともに額縁画像が入力されたと判定され、且つ、「画像ファイル優先」が設定されている場合に、対象画像に額縁画像を付加せずに表示用画像が生成されてもよい。即ち、上記場合には、対象画像（または、上記２つの処理以外の画像処理が施された対象画像）が表示用画像とされてもよい。
【００４８】
なお、表示モードは、「自動」、「画像ファイル優先」、「内蔵額縁優先」、及び、「
ＯＦＦ」に限らない。例えば、表示装置は、額縁画像を表示しない表示モード「額縁非表示」を有していてもよい。そして、「額縁非表示」が設定されている場合には、表示用画像として、額縁画像が付加されていない画像（即ち、実施例１，２において表示装置に装飾用の額縁が装着されている場合に生成される表示用画像）が生成されてもよい。
【００４９】
なお、本実施例では、設定する表示モードをユーザが選択する構成について説明したが、表示装置（表示装置が有する機能部）が自動で表示モードの選択及び設定を行ってもよい。また、表示モードをユーザが選択するか、装置が自動で選択するかを切り替え可能としてもよい。装置が表示モードを自動で選択する際の選択方法はどのような方法であってもよい。例えば、メーカやユーザによりデフォルトとして設定されている表示モードが選択されてもよい。また、選択履歴に基づいて表示モードが選択されてもよい。例えば、直前に選択された表示モードが選択されてもよい。現在までに最も多く選択された表示モードが選択されてもよい。現在から所定時間前までの期間に最も多く選択された表示モードが選択されてもよい。また、観賞対象の画像の種類や環境等に応じて表示モードが選択されてもよい。
【符号の説明】
【００５０】
１０５  額縁画像データ記憶・送信部
１０６  装着検出部
１０７  表示用画像データ生成部
【図１】
2013238650.tif 000003
【図２】
2013238650.tif 000004
【図３】
2013238650.tif 000005
【図４】
2013238650.tif 000006
【図５】
2013238650.tif 000007
【図６】
2013238650.tif 000008
【図７】
2013238650.tif 000009
【図８】
2013238650.tif 000010
【図９】
2013238650.tif 000011
【図１０】
2013238650.tif 000012